(57)【要約】【課題】通訳の対象となる原言語の文字列が正確に翻訳されているかを確認可能にする技術を提供する。【解決手段】コンタクトセンター２００は、携帯端末１００から送信される音声の音声データを翻訳前テキストデータへ変換するデータ変換部２１０と、翻訳前テキストデータを、音声を翻訳後の文字列で表示するための翻訳後テキストデータへと変換する翻訳部２２０と、を有し、通訳者端末３００は、コンタクトセンター２００から送信される翻訳前テキストデータと翻訳後テキストデータとに基づき、音声を文字列に変換した翻訳前文字列と、音声を翻訳後の文字列に変換した翻訳後文字列とをディスプレイに表示させる画面処理部３１０を有する。【選択図】図１
2016148943.tif 000002
【特許請求の範囲】
【請求項１】
コンタクトセンターと、前記コンタクトセンターとネットワークを介して接続される携帯端末と、前記コンタクトセンターとネットワークを介して接続され、通訳者により使用される通訳者端末と、を有する通訳サービス提供システムであって、
前記コンタクトセンターは、
前記携帯端末から送信される音声の音声データを翻訳前テキストデータへ変換するデータ変換部と、
前記翻訳前テキストデータを、前記音声を翻訳後の文字列で表示するための翻訳後テキストデータへと変換する翻訳部と、
を有し、
前記通訳者端末は、前記コンタクトセンターから送信される前記翻訳前テキストデータと前記翻訳後テキストデータとに基づき、前記音声を文字列に変換した翻訳前文字列と、前記音声を翻訳後の文字列に変換した翻訳後文字列とをディスプレイに表示させる画面処理部を有する、
通訳サービス提供システム。
【請求項２】
請求項１に記載の通訳サービス提供システムにおいて、
前記コンタクトセンターの前記データ変換部は、前記通訳者が発声した音声の音声データを通訳テキストデータへ変換し、
前記携帯端末の前記画面処理部は、前記コンタクトセンターから送信される前記翻訳前テキストデータと前記翻訳後テキストデータと前記通訳テキストデータとに基づき、前記翻訳前文字列と、前記翻訳後文字列と、前記通訳者が発声した音声を文字列に変換した通訳文字列とを前記ディスプレイに表示させる、
通訳サービス提供システム。
【請求項３】
請求項１に記載の通訳サービス提供システムにおいて、
前記通訳者端末は、前記翻訳前テキストデータと、前記翻訳後文字列に含まれる修正対象の文字のテキストデータと、入力を受けつけた修正後の文字のテキストデータとを前記コンタクトセンターへ送信し、
前記コンタクトセンターは、
前記翻訳前テキストデータを前記翻訳後テキストデータへ変換するのに用いる翻訳情報が記憶されている翻訳情報記憶部と、
前記翻訳前テキストデータと、前記修正対象の文字のテキストデータと、前記修正後の文字のテキストデータとに基づき、前記翻訳情報記憶部に記憶されている前記翻訳情報を更新する翻訳情報更新部と、
をさらに有する、通訳サービス提供システム。
【請求項４】
請求項１に記載の通訳サービス提供システムにおいて、
前記コンタクトセンターは、前記翻訳前テキストデータと、前記翻訳後テキストデータと、前記翻訳後文字列に含まれる修正対象の文字のテキストデータとが対応付けられて記憶されている修正文字列記憶部をさらに有し、
前記通訳者端末の前記画面処理部は、前記修正文字列記憶部に記憶されている前記翻訳前テキストデータと、前記翻訳後テキストデータと、前記修正対象の文字のテキストデータとに基づく、翻訳後文字列修正画面を前記ディスプレイに表示させる、
通訳サービス提供システム。
【請求項５】
コンタクトセンターと、前記コンタクトセンターとネットワークを介して接続される携帯端末と、前記コンタクトセンターとネットワークを介して接続され、通訳者により使用される通訳者端末と、を有する通訳サービス提供システムにおける通訳支援方法であって、
前記コンタクトセンターのデータ変換部が、前記携帯端末から送信される音声の音声データを翻訳前テキストデータへ変換するデータ変換ステップと、
前記コンタクトセンターの翻訳部が、前記翻訳前テキストデータを、前記音声を翻訳後の文字列で表示するための翻訳後テキストデータへと変換する翻訳ステップと、
前記通訳者端末の画面処理部が、前記コンタクトセンターから送信される前記翻訳前テキストデータと前記翻訳後テキストデータとに基づき、前記音声を文字列に変換した翻訳前文字列と、前記音声を翻訳後の文字列に変換した翻訳後文字列とをディスプレイに表示させる表示ステップと、
を有する、通訳支援方法。
【請求項６】
データ変換部と、翻訳部と、画面データ生成部とを有するコンタクトセンターのコンピュータに実行させるための通訳支援プログラムであって、
前記データ変換部が、携帯端末から送信される音声の音声データを翻訳前テキストデータへ変換するデータ変換ステップと、
前記翻訳部が、前記翻訳前テキストデータを、前記音声を翻訳後の文字列で表示するための翻訳後テキストデータへと変換する翻訳ステップと、
前記画面データ生成部が、前記翻訳前テキストデータと前記翻訳後テキストデータとに基づき、前記音声を文字列に変換した翻訳前文字列と、前記音声を翻訳後の文字列に変換した翻訳後文字列とを表示させるための画面データを生成する画面データ生成ステップと、
を前記コンピュータに実行させる、通訳支援プログラム。
【発明の詳細な説明】
【技術分野】
【０００１】
本発明は、通訳サービス提供システムおよび通訳支援方法ならびに通訳支援プログラムに関する。
【背景技術】
【０００２】
通訳者と通訳される者（通訳サービスの利用者および利用者と対話する対話者）との間でインターネットを介したビデオチャットを可能にする技術が知られている。
【０００３】
また、通訳される者が発声した音声を文字列に変換し、変換した文字列を翻訳する技術が知られている。
【０００４】
特開２０１０−１８６３３９号公報（特許文献１）には通訳の対象となる原言語のデータの入力を受け付ける受付部と、データの認識に用いる認識知識データベースを記憶する認識知識記憶部と、認識知識データベースを用いてデータを認識し、原言語の文字列を生成する認識部と、文字列の翻訳に用いる翻訳知識データベースを記憶する翻訳知識記憶部と、翻訳知識データベースを用いて文字列を目的言語に翻訳する翻訳部と、翻訳部の翻訳結果を出力する出力部とを有する通訳装置が開示されている。
【先行技術文献】
【特許文献】
【０００５】
【特許文献１】特開２０１０−１８６３３９号公報
【発明の概要】
【発明が解決しようとする課題】
【０００６】
特許文献１に開示されている技術では、通訳の対象となる原言語の文字列を翻訳できる。
【０００７】
しかし、特許文献１に開示されている技術では、翻訳される前の原言語の文字列が通訳者に提示されないため、翻訳された後の文字列が正確に翻訳されているかを確認できないことがあった。
【０００８】
本発明の目的は、通訳の対象となる原言語の文字列が正確に翻訳されているかを確認可能にする技術を提供することである。
【課題を解決するための手段】
【０００９】
本願において開示される発明のうち、代表的なものの概要を簡単に説明すれば、次の通りである。
【００１０】
本発明の一実施の形態の通訳サービス提供システムは、コンタクトセンターと、前記コンタクトセンターとネットワークを介して接続される携帯端末と、前記コンタクトセンターとネットワークを介して接続され、通訳者により使用される通訳者端末とを有する。また、前記コンタクトセンターは、前記携帯端末から送信される音声の音声データを翻訳前テキストデータへ変換するデータ変換部と、前記翻訳前テキストデータを、前記音声を翻訳後の文字列で表示するための翻訳後テキストデータへと変換する翻訳部とを有する。また、前記通訳者端末は、前記コンタクトセンターから送信される前記翻訳前テキストデータと前記翻訳後テキストデータとに基づき、前記音声を文字列に変換した翻訳前文字列と、前記音声を翻訳後の文字列に変換した翻訳後文字列とをディスプレイに表示させる画面処理部を有する。
【００１１】
また、本発明の一実施の形態の通訳支援方法は、コンタクトセンターと、前記コンタクトセンターとネットワークを介して接続される携帯端末と、前記コンタクトセンターとネットワークを介して接続され、通訳者により使用される通訳者端末と、を有する通訳サービス提供システムにおける通訳支援方法であって、前記コンタクトセンターのデータ変換部が、前記携帯端末から送信される音声の音声データを翻訳前テキストデータへ変換するデータ変換ステップを有する。また、前記コンタクトセンターの翻訳部が、前記翻訳前テキストデータを、前記音声を翻訳後の文字列で表示するための翻訳後テキストデータへと変換する翻訳ステップを有する。また、前記通訳者端末の画面処理部が、前記コンタクトセンターから送信される前記翻訳前テキストデータと前記翻訳後テキストデータとに基づき、前記音声を文字列に変換した翻訳前文字列と、前記音声を翻訳後の文字列に変換した翻訳後文字列とをディスプレイに表示させる表示ステップを有する。
【００１２】
また、本発明の一実施の形態の通訳支援プログラムは、データ変換部と、翻訳部と、画面データ生成部とを有するコンタクトセンターのコンピュータに実行させるための通訳支援プログラムであって、前記データ変換部が、携帯端末から送信される音声の音声データを翻訳前テキストデータへ変換するデータ変換ステップを前記コンピュータに実行させる。また、前記翻訳部が、前記翻訳前テキストデータを、前記音声を翻訳後の文字列で表示するための翻訳後テキストデータへと変換する翻訳ステップを前記コンピュータに実行させる。また、前記画面データ生成部が、前記翻訳前テキストデータと前記翻訳後テキストデータとに基づき、前記音声を文字列に変換した翻訳前文字列と、前記音声を翻訳後の文字列に変換した翻訳後文字列とを表示させるための画面データを生成する画面データ生成ステップを前記コンピュータに実行させる。
【発明の効果】
【００１３】
本願において開示される発明のうち、代表的なものによって得られる効果を簡単に説明すれば以下のとおりである。
【００１４】
本発明の代表的な実施の形態によれば、通訳の対象となる原言語の文字列が正確に翻訳されているかを確認できる。
【図面の簡単な説明】
【００１５】
【図１】本発明の一実施の形態における通訳サービス提供システムの構成例の概要を示す図である。
【図２】本発明の一実施の形態におけるコンタクトセンターの修正文字列記憶部に記憶されている情報の例を示す図である。
【図３】本発明の一実施の形態における通訳者端末のディスプレイに表示される通訳画面の例を示す図である。
【図４】本発明の一実施の形態における通訳者端末のディスプレイに表示される通訳画面の例を示す図である。
【図５】本発明の一実施の形態における通訳者端末のディスプレイに表示される通訳画面の例を示す図である。
【図６】本発明の一実施の形態における通訳者端末のディスプレイに表示される通訳画面の例を示す図である。
【図７】本発明の一実施の形態における通訳者端末のディスプレイに表示される翻訳後文字列修正画面の例を示す図である。
【図８】本発明の一実施の形態における通訳画面表示処理の概要を示す図である。
【図９】本発明の一実施の形態における翻訳情報更新処理の概要を示す図である。
【図１０】本発明の一実施の形態における修正文字列記憶処理の概要を示す図である。
【発明を実施するための形態】
【００１６】
以下、本発明の実施の形態を図面に基づいて詳細に説明する。なお、実施の形態を説明するための全図において、同一部には原則として同一の符号を付し、その繰り返しの説明は省略する。
【００１７】
＜システム構成＞
図１は、本発明の一実施の形態における通訳サービス提供システム１０の構成例の概要を示す図である。
【００１８】
図１に示されるように、通訳サービス提供システム１０は、コンタクトセンター２００と、コンタクトセンター２００とネットワークを介して接続される携帯端末１００と、コンタクトセンター２００とネットワークを介して接続され、通訳者により使用される複数の通訳者端末３００とを有する。
【００１９】
携帯端末１００、コンタクトセンター２００、通訳者端末３００は、所定のハードウェアおよびソフトウェアにより実装される。例えば、携帯端末１００、コンタクトセンター２００、通訳者端末３００は、プロセッサやメモリなどを有し、プロセッサにより実行されるメモリ上のプログラムが、通訳サービス提供システム１０として、携帯端末１００、コンタクトセンター２００、通訳者端末３００のコンピュータを機能させる。
【００２０】
通訳サービス提供システム１０は、携帯端末１００と通訳者端末３００との接続を確立（または携帯端末１００とコンタクトセンター内の通訳者により使用される通訳者端末との接続を確立）させた後に、通訳サービスを提供する。
【００２１】
詳細には、携帯端末１００のマイクに入力される利用者または対話者（利用者と対話する対話者）が発声する音声は、通訳者端末３００のスピーカから出力される。また、通訳者は、スピーカから出力された音声を通訳して、通訳者端末３００のマイクに発声する。通訳者端末３００のマイクに入力された通訳者の音声は、携帯端末１００のスピーカから出力される。通訳者は、対話者（例えば、日本人）が発声した音声を解釈し、利用者（外国人）が使用する言語で発声する。また、通訳者は、利用者（外国人）が使用する音声を解釈し、対話者（例えば、日本人）が使用する言語で発声する。
【００２２】
また、通訳者端末３００のカメラにより撮像された通訳者の映像は携帯端末１００のディスプレイに表示され、携帯端末１００のカメラにより撮像された利用者または対話者の映像は、通訳者端末３００のディスプレイに表示される。
【００２３】
携帯端末１００は、画面表示を行うとともに、タッチパネルを介してユーザからのタッチ操作を受け付ける。そして、携帯端末１００は、タッチ操作を受け付けた位置と対応する処理を実行する。また、携帯端末１００は、利用者または対話者が発声した音声の音声データをコンタクトセンターへ送信する。
【００２４】
コンタクトセンター２００は、データ変換部２１０と、翻訳部２２０と、翻訳情報更新部２３０と、画面データ生成部２４０と、通訳者情報記憶部２５０と、翻訳情報記憶部２６０と、修正文字列記憶部２７０とを有する。
【００２５】
通訳者情報記憶部２５０には、通訳者に関する各種情報（通訳者の氏名や、通訳者端末を特定するためのＩＰアドレスや、通訳者が通訳可能な言語）が記憶されている。
【００２６】
データ変換部２１０は、携帯端末１００から送信される音声の音声データを翻訳前テキストデータへ変換する。また、データ変換部２１０は、通訳者が発声した音声の音声データを通訳テキストデータへ変換する。
【００２７】
翻訳部２２０は、公知の技術により、翻訳前テキストデータを、音声を翻訳後の文字列で表示するための翻訳後テキストデータへと変換する。
【００２８】
翻訳情報更新部２３０は、通訳者端末３００から送信される、翻訳前テキストデータと修正対象の文字のテキストデータと修正後の文字のテキストデータとに基づき、翻訳情報記憶部２６０に記憶されている翻訳情報を更新する。
【００２９】
翻訳情報記憶部２６０には、翻訳前テキストデータを翻訳後テキストデータへ変換するのに用いる翻訳情報が記憶されている。例えば、翻訳情報は、翻訳前テキストデータに含まれる単語と、翻訳後テキストデータに含まれる単語とを対応付けた情報を含む。また、翻訳情報は、翻訳前の言語と翻訳後の言語の文法規則や、構造変換規則などを含む。
【００３０】
修正文字列記憶部（後述、図２）２７０には、翻訳前テキストデータと、翻訳後テキストデータと、翻訳後文字列に含まれる修正対象の文字のテキストデータとが対応付けられて記憶されている。
【００３１】
通訳者端末３００は、画面処理部３１０と、修正処理部３２０とを有し、翻訳後文字列から、修正対象の文字を指定するための入力を受け付ける。
【００３２】
通訳者端末３００は、翻訳前テキストデータと、翻訳後文字列に含まれる修正対象の文字のテキストデータと、入力を受けつけた修正後の文字のテキストデータとをコンタクトセンター２００へ送信する。
【００３３】
また、画面処理部３１０は、コンタクトセンター２００から送信される翻訳前テキストデータと翻訳後テキストデータと、通訳テキストデータとに基づき、音声を文字列に変換した翻訳前文字列と、音声を翻訳後の文字列に変換した翻訳後文字列と、通訳文字列と含む通訳画面（後述、図４〜図６）を通訳者端末３００のディスプレイに表示させる。
【００３４】
また、画面処理部３１０は、修正文字列記憶部２７０に記憶されている翻訳前テキストデータと、翻訳後テキストデータと、修正対象の文字のテキストデータとに基づく、翻訳後文字列修正画面（後述、図７）を携帯端末１００のディスプレイに表示させる。
【００３５】
なお、コンタクトセンター２００の画面データ生成部２４０が、翻訳前テキストデータと翻訳後テキストデータとに基づき、音声を文字列に変換した翻訳前文字列と、前記音声を翻訳後の文字列に変換した翻訳後文字列とを表示させるための画面データを生成しても良い。この場合、通訳者端末３００は、画面データ生成部２４０が生成した画面データに基づき、音声を文字列に変換した翻訳前文字列と、音声を翻訳後の文字列に変換した翻訳後文字列と、通訳文字列と含む通訳画面を通訳者端末３００のディスプレイに表示させる。
【００３６】
＜修正文字列記憶部＞
図２は、本発明の一実施の形態におけるコンタクトセンター２００の修正文字列記憶部２７０に記憶されている情報の例を示す図である。
【００３７】
図２に示されるように、修正文字列記憶部２７０には、翻訳前テキストデータと、翻訳後テキストデータと、翻訳後文字列に含まれる修正対象の文字のテキストデータとが対応付けられて記憶されている。
【００３８】
＜通訳画面＞
以下、図３〜図６を用いて、通訳者端末３００のディスプレイに表示される通訳画面について説明する。
【００３９】
利用者から通訳の開始を指示する入力を受け付けた携帯端末１００は、コンタクトセンター２００にアクセスする。その後、コンタクトセンター２００により選定された通訳者端末３００と携帯端末１００との接続が確立され、携帯端末１００のディスプレイに図３に示される通訳画面が表示される。
【００４０】
図３に示されるように、通訳者端末３００のディスプレイに表示される通訳画面には、携帯端末１００のカメラにより撮像された利用者（または利用者と対話する対話者）３０１が表示される。また、通訳画面には、事後検討ボタン３０２が表示される。
【００４１】
利用者または対話者が発声し、利用者または対話者が発声した音声の音声データを受信した後、通訳者端末３００のディスプレイには、図４に示される通訳画面が表示される。
【００４２】
携帯端末１００のマイクに入力された利用者の音声は、通訳者端末３００のスピーカから出力される。また、図４に示されるように、通訳者端末３００のディスプレイに表示される通訳画面には、利用者または対話者が発声した音声を文字列に変換した翻訳前文字列４０１が表示される。また、図４に示されるように、通訳画面には、翻訳前文字列４０１を翻訳した翻訳後文字列４０２が表示される。通訳者は、翻訳後文字列４０２を参照しながら通訳する。翻訳後文字列４０２の内容が正しい場合は、通訳者は、翻訳後文字列４０２の内容をそのまま読み上げる。これにより、通訳サービスの品質のばらつきが小さくなる。通訳者が通訳者端末３００のマイクに発声すると、通訳者端末３００のディスプレイには、図５に示される通訳画面が表示される。
【００４３】
図５に示されるように、通訳画面には、翻訳前文字列４０１と、翻訳後文字列４０２と、通訳者が発声した音声を文字列に変換した通訳文字列５０１が表示される。また、通訳者端末３００のマイクに入力された通訳者の音声は、携帯端末１００のスピーカから出力される。
【００４４】
通訳者により、翻訳後文字列４０２を修正対象の文字を指定するための入力を受け付けると、通訳者端末３００のディスプレイには図６に示される通訳画面が表示される。図６に示されるように、通訳者端末３００は、入力装置（マウスなど）が操作されることで、翻訳後文字列４０２を修正する範囲を指定するための入力を受け付ける。その後、入力装置（キーボードなど）が文字入力を受け付けることで、修正対象として指定された文字列が、入力装置が文字入力を受け付けた内容へと修正される。
【００４５】
事後検討ボタン３０２が、押下されると、翻訳前文字列４０１のテキストデータと、翻訳後文字列４０２のテキストデータと、修正対象の文字のテキストデータとが、コンタクトセンター２００へ送信され、コンタクトセンター２００の修正文字列記憶部２７０に記憶される。
【００４６】
他の通訳者（事後検討ボタン３０２を押下した通訳者以外の通訳者）の通訳者端末３００から要求があると、コンタクトセンター２００は、修正文字列記憶部２７０に記憶される翻訳前文字列４０１のテキストデータと、翻訳後文字列４０２のテキストデータと、修正対象の文字のテキストデータとを、要求があった通訳者端末３００へ送信する。そして、通訳者端末３００は、受信した翻訳前文字列４０１のテキストデータと、翻訳後文字列４０２のテキストデータと、修正対象の文字のテキストデータとに基づく翻訳後文字列修正画面が表示される。そして、翻訳後文字列４０２は、通訳者端末３００のディスプレイに表示される翻訳後文字列修正画面（後述、図７）を介して修正される。これによって、手が空いている通訳者や、修正対象の文字を修正できる通訳者が翻訳文字列４０２を修正できる。
【００４７】
＜翻訳後文字列修正画面＞
以下、図７を用いて通訳者端末３００のディスプレイに表示される翻訳後文字列修正画面について説明する。図７に示されるように、翻訳後文字列修正画面には、翻訳前文字列４０１と、翻訳後文字列４０２と、修正後の文字が入力される修正後文字列入力欄７０１と、決定ボタン７０２とが表示される。また、修正対象として指定された文字列は、他の文字列と異なる態様で表示される。
【００４８】
入力装置が（キーボードなど）が文字入力を受け付けることで、修正後文字列入力欄７０１に修正後の文字が入力される。修正後文字列入力欄７０１に入力された修正後の文字は、コンタクトセンター２００へ送信される。そして、修正後の文字に基づき、翻訳情報記憶部２６０の翻訳情報が更新される。これによって、正確に翻訳されなかった翻訳後文字列４０２を、通訳時に修正できなかった場合であっても、他の通訳者による翻訳後文字列４０２の修正が可能になる。
【００４９】
＜通訳画面表示処理＞
図８は、本発明の一実施の形態における通訳画面表示処理の概要を示す図である。通訳画面表示処理は、利用者の使用言語が入力された後に携帯端末１００が通訳の開始を指示する入力を受け付けた場合に開始する。
【００５０】
まず、Ｓ８０１にて、携帯端末１００は、通訳の開始を指示させるため通訳開始要求を生成する。そして、携帯端末１００は、利用者の使用言語と、生成した通訳開始要求とをコンタクトセンター２００へ送信する。なお、利用者の使用言語は、予め携帯端末１００に登録されるようにしても良い。
【００５１】
次に、Ｓ８０２にて、コンタクトセンター２００は、Ｓ８０１にて送信された利用者の使用言語と通訳開始要求開始を受信する。そして、コンタクトセンター２００は、通訳者端末３００を特定するための接続先情報を通訳者情報記憶部２５０から取得し、取得した接続先情報を携帯端末１００へ送信する。なお、コンタクトセンター２００は、利用者の使用言語をキーに通訳者情報テーブルを検索し、対応する接続先を取得する。これによって、利用者が使用する言語を通訳できる通訳者が使用する通訳者端末３００の接続先情報を取得できる。
【００５２】
次に、Ｓ８０３にて、携帯端末１００は、Ｓ８０２にて送信された接続先情報を受信する。そして、携帯端末１００は、受信した接続先情報から特定される通訳者端末３００との通信を確立する。
【００５３】
次に、Ｓ８０４にて、携帯端末１００のカメラは、利用者または利用者と対話する対話者を撮像する。そして、携帯端末１００は、カメラにより撮像された利用者または対話者を描画するための画像データを、コンタクトセンター２００を介して通訳者端末３００へ送信する。
【００５４】
次に、Ｓ８０５にて、通訳者端末３００は、Ｓ８０４にて送信された画像データを受信する。そして、通訳者端末３００の画面処理部３１０は、受信した画像データに基づく通訳画面（前述、図３）をディスプレイに表示させる。
【００５５】
次に、Ｓ８０６にて、携帯端末１００は、マイクに入力された利用者または対話者の音声の音声データを、コンタクトセンター２００へ送信する。
【００５６】
次に、Ｓ８０７にて、コンタクトセンター２００のデータ変換部２１０は、受信した音声データを、翻訳前テキストデータ（利用者または対話者が発声した音声を文字列で表示するためのテキストデータ）へ変換する。
【００５７】
次に、Ｓ８０８にて、コンタクトセンター２００の翻訳部２２０は、Ｓ８０７にて音声データから変換された翻訳前テキストデータを、利用者または対話者が使用可能な言語の文字列を表示するための翻訳後テキストデータへと変換する。
【００５８】
なお、翻訳前テキストデータが、利用者が発声した音声の音声データから変換されたものである場合、翻訳部２２０は、翻訳前テキストデータを対話者が使用可能な言語（例えば、日本語）の文字列を表示するための翻訳後テキストデータへと変換する。一方、翻訳前テキストデータが、対話者が発生した音声の音声データから変換されたものである場合、翻訳部２２０は、翻訳前テキストデータを利用者が使用可能な言語（Ｓ８０２にて受信した利用者の使用言語）の文字列を表示するための翻訳後テキストデータへと変換する。
【００５９】
次に、Ｓ８０９にて、コンタクトセンター２００は、Ｓ８０７にて変換された翻訳前テキストデータと、Ｓ８０８にて変換された翻訳後テキストデータとを通訳者端末３００へ送信する。
【００６０】
次に、Ｓ８１０にて、通訳者端末３００は、Ｓ８０９にて送信された翻訳前テキストデータと、翻訳後テキストデータとを受信する。
【００６１】
次に、Ｓ８１１にて、通訳者端末３００の画面処理部３１０は、Ｓ８０５にて受信した画像データと、Ｓ８１０にて受信した翻訳前テキストデータと、翻訳後テキストデータとに基づく通訳画面（前述、図４）をディスプレイに表示させる。すなわち、通訳画面には、利用者または対話者が発声した音声を文字列に変換した翻訳前文字列４０１と、翻訳前文字列４０１を翻訳した翻訳後文字列４０２とが表示される。通訳者が発声した音声が通訳者端末３００のマイクに入力されると、Ｓ８１２へ進む。
【００６２】
次に、Ｓ８１２にて、通訳者端末３００は、通訳者が発声した音声の音声データをコンタクトセンター２００へ送信する。
【００６３】
次に、Ｓ８１３にて、コンタクトセンター２００のデータ変換部２１０は、通訳者が発声した音声の音声データを文字列で表示するための通訳テキストデータへ変換する。
【００６４】
次に、Ｓ８１４にて、コンタクトセンター２００は、Ｓ８１３にて変換された通訳テキストデータを通訳者端末３００へ送信する。
【００６５】
次に、Ｓ８１５にて、通訳者端末３００は、Ｓ８１４にて送信された通訳テキストデータを受信する。
【００６６】
次に、Ｓ８１６にて、通訳者端末３００は、Ｓ８０５にて受信した画像データと、Ｓ８１０にて受信した翻訳前テキストデータと、翻訳後テキストデータと、Ｓ８１５にて受信した通訳テキストデータとに基づく通訳画面（前述、図５）をディスプレイに表示させる。
【００６７】
次に、Ｓ８１７にて、通訳者端末３００は、通訳画面に表示されている翻訳後文字列４０２から修正対象の文字を指定するための入力を受け付けたか否かを判定する。通訳者端末３００が、修正対象の文字を指定するための入力を受け付けていないと判定する場合（Ｓ８１７−Ｎｏ）、Ｓ８１９へ進む。一方、通訳者端末３００が、修正対象の文字を指定するための入力を受け付けたと判定する場合（Ｓ８１７−Ｙｅｓ）、Ｓ８１８へ進む。
【００６８】
次に、Ｓ８１８にて、翻訳情報更新処理（後述、図９）が実行される。Ｓ８１８の次は、Ｓ８０４へ戻る。
【００６９】
Ｓ８１７にてＮｏだった場合、Ｓ８１９にて、通訳者端末３００は、通訳画面に表示されている事後検討ボタン３０２を選択する入力を受け付けたか否かを判定する。通訳者端末３００が、事後検討ボタン３０２を選択する入力を受け付けていないと判定する場合（Ｓ８１９−Ｎｏ）、Ｓ８０４へ戻る。一方、通訳者端末３００が、事後検討ボタン３０２を選択する入力を受け付けたと判定する場合（Ｓ８１９−Ｙｅｓ）、Ｓ８２０へ進む。
【００７０】
次に、Ｓ８２０にて、修正文字列記憶処理（後述、図１０）が実行される。Ｓ８２０の次は、Ｓ８０４へ戻る。
【００７１】
＜翻訳情報更新処理＞
図９は、本発明の一実施の形態における翻訳情報更新処理の概要を示す図である。
【００７２】
まず、Ｓ９０１にて、通訳者端末３００の修正処理部３２０は、Ｓ８１７にて入力を受け付けた修正対象の文字を保持する。
【００７３】
次に、Ｓ９０２にて、通訳者端末３００の入力装置が文字入力を受け付ける。そして、入力装置が入力を受け付けたテキストデータ（修正後の文字のテキストデータ）が修正処理部３２０に入力される。
【００７４】
次に、Ｓ９０３にて、通訳者端末３００は、Ｓ８０７にて音声データから変換された翻訳前テキストデータと、Ｓ９０１にて保持されている文字のテキストデータ（修正対象の文字のテキストデータ）と、Ｓ９０２にて入力されたテキストデータ（修正後の文字のテキストデータ）とをコンタクトセンター２００へ送信する。
【００７５】
次に、Ｓ９０４にて、コンタクトセンター２００は、翻訳前テキストデータと、Ｓ８１７にて入力を受け付けたテキストデータ（修正対象の文字のテキストデータ）と、Ｓ９０２にて入力されたテキストデータ（修正後の文字のテキストデータ）とを受信する。
【００７６】
次に、Ｓ９０５にて、コンタクトセンター２００の翻訳情報更新部２３０は、受信した翻訳前テキストデータと、Ｓ８１７にて入力を受け付けたテキストデータ（修正対象の文字のテキストデータ）と、Ｓ９０２にて入力されたテキストデータ（修正後の文字のテキストデータ）とに基づき、翻訳情報記憶部２６０に記憶されている翻訳情報を更新する。例えば、翻訳情報更新部２３０は、Ｓ８１７にて入力を受け付けたテキストデータ（修正対象の文字のテキストデータ）を翻訳情報記憶部２６０から取得し、取得したテキストデータ（修正対象の文字のテキストデータ）をＳ９０２にて入力されたテキストデータ（修正後の文字のテキストデータ）により更新する。
【００７７】
＜修正文字列記憶処理＞
図１０は、本発明の一実施の形態における修正文字列記憶処理の概要を示す図である。
【００７８】
まず、Ｓ１００１にて、通訳者端末３００は、修正対象の文字を指定するための入力を受け付ける。
【００７９】
次に、Ｓ１００２にて、通訳者端末３００は、Ｓ８０７にて音声データから変換された翻訳前テキストデータと、Ｓ８０８にて変換された翻訳後テキストデータと、Ｓ１００１にて入力を受け付けたテキストデータ（修正対象の文字のテキストデータ）とをコンタクトセンター２００へ送信する。
【００８０】
次に、Ｓ１００３にて、コンタクトセンター２００は、翻訳前テキストデータと、翻訳後テキストデータと、Ｓ１００１にて入力を受け付けたテキストデータ（修正対象の文字のテキストデータ）とを受信する。
【００８１】
次に、Ｓ１００４にて、コンタクトセンター２００の翻訳情報更新部２３０は、受信した翻訳前テキストデータと、翻訳後テキストデータと、Ｓ１００１にて入力を受け付けたテキストデータ（修正対象の文字のテキストデータ）とを対応付けて修正文字列記憶部２７０に記憶する。
【００８２】
＜本実施の形態の効果＞
以上説明した本実施の形態によれば、通訳者端末３００の画面処理部３１０が、携帯端末１００に入力された音声を文字列に変換した翻訳前文字列と、携帯端末１００に入力された音声を翻訳後の文字列に変換した翻訳後文字列とをディスプレイに表示させることで、通訳の対象となる原言語の文字列が正確に翻訳されているかを、通訳者が確認できる。また、通訳サービスの品質のばらつきを小さくできる。
【００８３】
また、コンタクトセンター２００の翻訳情報更新部２３０が、翻訳前テキストデータと、修正対象の文字のテキストデータと、修正後の文字のテキストデータとに基づき、翻訳情報記憶部２６０に記憶されている翻訳情報を更新することで、次回以降、翻訳部２２０は、正確に翻訳前テキストデータを翻訳後テキストデータへと変換できる。また、修正後の文字として、方言や若者言葉などの新語などが入力されることで、通訳者によっては理解できない方言や、新語などを翻訳情報に反映できる。そして、次回以降、通訳者は、ディスプレイに表示される翻訳後文字列を確認することで、方言や、新語などを通訳可能になり、言語の変化にも対応できる。
【００８４】
また、コンタクトセンター２００の修正文字列記憶部２７０に翻訳前テキストデータと、翻訳後テキストデータと、翻訳後文字列に含まれる修正対象の文字のテキストデータとが対応付けられて記憶されており、通訳者端末の画面処理部３１０が、修正文字列記憶部２７０に記憶されている翻訳前テキストデータと、翻訳後テキストデータと、修正対象の文字のテキストデータとに基づく翻訳後文字列修正画面をディスプレイに表示させることで、正確に翻訳されなかった翻訳後文字列４０２を通訳時に修正できなかった場合であっても、他の通訳者（手が空いている通訳者など）による翻訳後文字列４０２の修正が可能になる。
【００８５】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、携帯端末１００は、スマートフォン以外にも、タブレット端末等の様々な形態の携帯端末を全て含むものである。
【符号の説明】
【００８６】
１０…通訳サービス提供システム、
１００…携帯端末、
２００…コンタクトセンター、２１０…データ変換部、２２０…翻訳部、２３０…翻訳情報更新部、２４０…画面データ生成部、２５０…通訳者情報記憶部、２６０…翻訳情報記憶部、２７０…修正文字列記憶部、
３００…通訳者端末、３１０…画面処理部。
【図１】
2016148943.tif 000003
【図２】
2016148943.tif 000004
【図３】
2016148943.tif 000005
【図４】
2016148943.tif 000006
【図５】
2016148943.tif 000007
【図６】
2016148943.tif 000008
【図７】
2016148943.tif 000009
【図８】
2016148943.tif 000010
【図９】
2016148943.tif 000011
【図１０】
2016148943.tif 000012